(57)【特許請求の範囲】
【請求項１】
窓枠に取り付けられた障子を室外側へ開くことができる窓において、
前記窓枠の室内側に位置し、前記窓枠に取り付けられた受部材により垂直軸又は水平軸まわりに回動可能に支持された基体と、
該基体に対してスライド可能に支持され、一方の操作杆に対して他方の操作杆を相対的にスライド可能として伸縮する、その長手方向基端部に操作つまみが設けられた操作部材と、
該操作部材の長手方向先端部の枢軸に取り付けられ、前記障子に取り付けられた金具に連結される連結部材と、
前記操作部材を室外方向に押し出して前記障子を開いた状態、及び、前記操作部材を室内方向に引き戻して前記障子を閉じた状態で、前記操作部材と前記基体とを係合させ、前記基体に対する前記操作部材のスライド動作を規制するスライド規制手段並びにその規制を解除するスライド規制解除手段と、
前記操作部材を伸ばした状態及び縮めた状態でその状態を保持し、伸縮動作を規制する伸縮規制手段並びにその規制を解除する伸縮規制解除手段と、
を備えてなることを特徴とする窓開閉装置。
【請求項２】
前記スライド規制手段が、前記操作部材に形成した係合孔又は係合凹部に対向するように、前記基体に弾性支持されて突出する係合凸部を前記係合孔又は係合凹部に係合させるものであり、前記スライド規制解除手段が、前記係合を解除するように前記係合凸部を弾性付勢力に抗して移動させる押動片である請求項１記載の窓開閉装置。
【請求項３】
前記操作部材が、前記一方の操作杆に前記他方の操作杆を外嵌したものであり、前記伸縮規制手段が、外側の操作杆の長手方向の前後複数箇所に形成した開口に対向するように、内側の操作杆に弾性支持されて外方へ突出する係合片を前記開口に係合させるものであり、前記伸縮規制解除手段が、前記係合を解除するように弾性付勢力に抗して押動され移動する前記係合片である請求項１記載の窓開閉装置。
【請求項４】
前記基体が、下枠に取り付けられた受部材により垂直軸まわりに回動可能に支持されたものであり、前記操作部材が、前記一方の操作杆に前記他方の操作杆を外嵌したものであり、外側の操作杆の下面に開口部を設けて該開口部内に内側の操作杆の下部を突出させ、外側の操作杆の下面と内側の操作杆の下面とを面一としてなる請求項１記載の窓開閉装置。
【発明の詳細な説明】
【技術分野】
【０００１】
本発明は、窓枠に取り付けられた障子を室外側へ開くことができる窓開閉装置に関するものである。
【背景技術】
【０００２】
突出し窓、片開き窓、横すべり出し窓又は縦すべり出し窓等のように、窓枠内に組み込まれた障子を室外側へ開くことができる窓に用いられる窓開閉装置として、室内外方向へ延びる開閉ロッドの一端を窓板の内面下端部に枢着し、開閉ロッドに形成した係止孔に窓枠の下縁に設けた係止ピンを係合させて窓板の開状態を保持するとともに、窓板を閉じた際には開閉ロッドを回動させて窓枠に添わせた状態で係止具により保持するもの（例えば、特許文献１参照。）、窓枠を貫通して一端が障子に連結された可撓性のある操作杆を室外方向へ押圧することにより障子を開けることができ、操作杆を室内方向へ引くことにより障子を閉じることができ、障子を閉じた状態では、操作杆を窓枠に添わせるように垂下させるもの（例えば、特許文献２参照。）、一端が障子の下框に垂直軸まわりに回動可能に取り付けられたアームを、枠側に垂直軸まわりに回動可能に取り付けられたストップ金具又はスライドケース内をスライドさせて障子を開閉し、凹凸嵌合又はねじの締付けにより障子の開状態を保持可能としたもの（例えば、特許文献３参照。）等がある。
【０００３】
【特許文献１】実開昭５０−３７３３０号公報（第１−４図）
【特許文献２】実開昭６０−１１５３７２号公報（第１−２図、第４−５図）
【特許文献３】実開平６−８５８８２号公報（図１−７）
【発明の開示】
【発明が解決しようとする課題】
【０００４】
以上のような従来の窓開閉装置において、特許文献１の構成は、窓枠の係止ピンと開閉ロッドの係止孔との係合が風圧により外れて窓板が不意に閉じたり、ばたつくことがあるため、特に大型の窓への適用が困難である。
その上、窓板を半開にした状態では、開閉ロッドが室内側へ突き出すため、美観が損なわれるとともに邪魔になる場合がある。
【０００５】
また、特許文献２の構成は、操作杆に可撓性を持たせる必要があるため、風圧によりばたつくことがあるとともに、大型の窓へ適用すると、必要な開閉ストローク並びに強度及び剛性を確保することが困難である。特に、大型の突出し窓や横すべり出し窓に対しては、大型である障子の大きな重力が操作杆に作用するため、さらに適用が困難である。
その上、障子を閉じた状態では、操作杆全体がその長さのままで窓枠に添って垂下するため、美観が損なわれる。
【０００６】
さらに、特許文献３の構成は、障子を開閉する際には、ストップ金具又はスライドケースを回動させ、これらの中をアームが摺動するため、大型の窓へ適用すると、障子の開閉操作を円滑に行うことができない場合がある。特に、大型の突出し窓や横すべり出し窓に対しては、大型の障子の重力がアーム等に作用するため、さらに適用が困難である。
【０００７】
そこで本発明が前述の状況に鑑み、解決しようとするところは、必要な開閉ストローク並びに強度及び剛性を確保して大型の窓に適用することができ、その障子の開閉操作を円滑に行うことができるとともに、障子の半開状態及び閉状態においても操作杆が室内方向に突き出すことがなく、邪魔にならず美観が損なわれない、窓開閉装置を提供する点にある。
【課題を解決するための手段】
【０００８】
本発明に係る窓開閉装置は、窓枠に取り付けられた障子を室外側へ開くことができる窓において、前記窓枠の室内側に位置し、前記窓枠に取り付けられた受部材により垂直軸又は水平軸まわりに回動可能に支持された基体と、該基体に対してスライド可能に支持され、一方の操作杆に対して他方の操作杆を相対的にスライド可能として伸縮する、その長手方向基端部に操作つまみが設けられた操作部材と、該操作部材の長手方向先端部の枢軸に取り付けられ、前記障子に取り付けられた金具に連結される連結部材と、前記操作部材を室外方向に押し出して前記障子を開いた状態、及び、前記操作部材を室内方向に引き戻して前記障子を閉じた状態で、前記操作部材と前記基体とを係合させ、前記基体に対する前記操作部材のスライド動作を規制するスライド規制手段並びにその規制を解除するスライド規制解除手段と、前記操作部材を伸ばした状態及び縮めた状態でその状態を保持し、伸縮動作を規制する伸縮規制手段並びにその規制を解除する伸縮規制解除手段とを備えてなるものである。
【０００９】
ここで、前記スライド規制手段が、前記操作部材に形成した係合孔又は係合凹部に対向するように、前記基体に弾性支持されて突出する係合凸部を前記係合孔又は係合凹部に係合させるものであり、前記スライド規制解除手段が、前記係合を解除するように前記係合凸部を弾性付勢力に抗して移動させる押動片であると好ましい。
【００１０】
また、前記操作部材が、前記一方の操作杆に前記他方の操作杆を外嵌したものであり、前記伸縮規制手段が、外側の操作杆の長手方向の前後複数箇所に形成した開口に対向するように、内側の操作杆に弾性支持されて外方へ突出する係合片を前記開口に係合させるものであり、前記伸縮規制解除手段が、前記係合を解除するように弾性付勢力に抗して押動され移動する前記係合片であると好ましい。
【００１１】
さらに、前記基体が、下枠に取り付けられた受部材により垂直軸まわりに回動可能に支持されたものであり、前記操作部材が、前記一方の操作杆に前記他方の操作杆を外嵌したものであり、外側の操作杆の下面に開口部を設けて該開口部内に内側の操作杆の下部を突出させ、外側の操作杆の下面と内側の操作杆の下面とを面一としてなると好ましい。
【発明の効果】
【００１２】
本発明に係る窓開閉装置によれば、窓枠に取り付けられた障子を室外側へ開くことができる窓において、前記窓枠の室内側に位置し、前記窓枠に取り付けられた受部材により垂直軸又は水平軸まわりに回動可能に支持された基体と、該基体に対してスライド可能に支持され、一方の操作杆に対して他方の操作杆を相対的にスライド可能として伸縮する、その長手方向基端部に操作つまみが設けられた操作部材と、該操作部材の長手方向先端部の枢軸に取り付けられ、前記障子に取り付けられた金具に連結される連結部材と、前記操作部材を室外方向に押し出して前記障子を開いた状態、及び、前記操作部材を室内方向に引き戻して前記障子を閉じた状態で、前記操作部材と前記基体とを係合させ、前記基体に対する前記操作部材のスライド動作を規制するスライド規制手段並びにその規制を解除するスライド規制解除手段と、前記操作部材を伸ばした状態及び縮めた状態でその状態を保持し、伸縮動作を規制する伸縮規制手段並びにその規制を解除する伸縮規制解除手段とを備えてなるので、基体及び操作部材を窓枠に添わせた状態から、これらを回動させ、操作部材のスライド方向を室内外方向とし、スライド規制解除手段により操作部材のスライド動作の規制を解除して操作部材を室外方向に押し出して障子を開き、スライド規制手段により基体に対する操作部材のスライド動作を規制して障子を開いた状態とした半開状態、基体及び操作部材を窓枠に添わせた状態から、これらを回動させ、操作部材のスライド方向を室内外方向とし、伸縮規制解除手段により操作部材の伸縮動作の規制を解除して操作部材を伸ばし、伸縮規制手段により操作部材を伸ばした状態を保持し、スライド規制解除手段により操作部材のスライド動作の規制を解除して操作部材を室外方向に押し出して障子を開き、スライド規制手段により基体に対する操作部材のスライド動作を規制して障子を開いた状態とした全開状態、並びに、スライド規制解除手段により操作部材のスライド動作の規制を解除して操作部材を室内側へ引き戻し、スライド規制手段により基体に対する操作部材のスライド動作を規制して、障子を閉じた状態を保持した閉状態とすることができ、この閉状態では、基体及び操作部材を回動させて窓枠に添わせることができる。
したがって、一方の操作杆に対して他方の操作杆を相対的にスライド可能として伸縮する操作部材の室内外方向への直動により障子の開閉を行うため、必要な開閉ストローク並びに強度及び剛性を確保して大型の窓にも適用することができ、その障子の開閉操作を円滑に行うことができる。
その上、障子の半開状態及び閉状態においても操作部材が室内方向に突き出すことがなく、操作部材が邪魔にならないとともに美観が損なわれることがない。
【００１３】
また、前記スライド規制手段が、前記操作部材に形成した係合孔又は係合凹部に対向するように、前記基体に弾性支持されて突出する係合凸部を前記係合孔又は係合凹部に係合させるものであり、前記スライド規制解除手段が、前記係合を解除するように前記係合凸部を弾性付勢力に抗して移動させる押動片であると、前記効果に加え、簡素な構成により操作部材と基体とを係合させ、基体に対する操作部材のスライド動作を安定かつ確実に規制することができるため、風圧により障子が不意に閉じたり、ばたつくことがないとともに、押動片を押す操作により、基体に対する操作部材のスライド動作の規制の解除を容易に行って、操作部材により障子の開閉を容易に行うことができる。
【００１４】
さらに、前記操作部材が、前記一方の操作杆に前記他方の操作杆を外嵌したものであり、前記伸縮規制手段が、外側の操作杆の長手方向の前後複数箇所に形成した開口に対向するように、内側の操作杆に弾性支持されて外方へ突出する係合片を前記開口に係合させるものであり、前記伸縮規制解除手段が、前記係合を解除するように弾性付勢力に抗して押動され移動する前記係合片であると、前記効果に加え、伸縮する操作部材を一方の操作杆に他方の操作杆を外嵌する簡素な構成とすることにより、その強度及び剛性をより大きくすることが容易であるため、より大型の窓に適用することができるとともに、コストを削減することができる。
その上、内側の操作杆に弾性支持されて外方へ突出する係合片を外側の操作杆の開口に係合させることにより、操作部材を伸ばした状態及び縮めた状態の保持を容易かつ確実に行うことができるとともに、係合片を押しながら一方の操作杆に対して他方の操作杆を相対的にスライドさせることにより、操作部材の伸縮動作の規制を解除して、操作部材の伸縮操作を容易に行うことができる。
【００１５】
さらにまた、前記基体が、下枠に取り付けられた受部材により垂直軸まわりに回動可能に支持されたものであり、前記操作部材が、前記一方の操作杆に前記他方の操作杆を外嵌したものであり、外側の操作杆の下面に開口部を設けて該開口部内に内側の操作杆の下部を突出させ、外側の操作杆の下面と内側の操作杆の下面とを面一としてなると、前記効果に加え、下枠に取り付けられた受部材により支持された基体に対してスライド可能に支持された操作部材を、一方の操作杆に他方の操作杆を外嵌する簡素な構成とすることにより、その強度及び剛性をより大きくすることが容易であるとともに、特に大型の突出し窓や横すべり出し窓等において大型である障子の大きな重力が操作部材に作用する場合であっても、その重力が操作部材の長手方向（伸縮方向）に作用するため、特に大型の突出し窓や横すべり出し窓等の窓開閉装置として使用することができる。
その上、外側の操作杆の下面と内側の操作杆の下面とを面一としていることから、操作部材を伸ばした状態と縮めた状態とで、操作部材の下面の高さが変動しないため、操作部材を伸ばした状態又は縮めた状態として基体に対して摺動させて室内外方向へ移動させる動作を円滑に行うことができる。
【発明を実施するための最良の形態】
【００１６】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、室内側から室外側へ向かう方向の前側を前、後側を後とし、左右は前方に向かっていうものとする。
【００１７】
図１〜図４は、本発明の実施の形態に係る開閉窓の概略説明図であり、図１は障子を閉じた状態を示す縦断側面図、図２は窓開閉装置により障子を半開にした状態を示す縦断側面図、図３は窓開閉装置により障子を全開にした状態を示す縦断側面図、図４は横断平面図である。なお、図４においては障子を省略している。
また、図５〜図８は、本発明の実施の形態に係る窓開閉装置の構成を示す概略説明図であり、図５（ａ）は半開状態を示す縦断側面図、図５（ｂ）は半開状態から操作部材を引いて障子を閉じた状態を示す縦断側面図、図６（ａ）は操作部材の斜視図、図６（ｂ）は図６（ａ）の矢視Ｘ−Ｘ断面図、図７（ａ）は操作部材を縮めた状態を示す平面図、図７（ｂ）は操作部材を伸ばした状態を示す平面図、図８は同じく側面図である。
【００１８】
図１〜図４に示すように、窓枠３は、上枠３Ｕ及び下枠３Ｌ並びに左右の縦枠３Ｓ，３Ｓにより構成され、障子４は、左右の縦枠３Ｓ，３Ｓと障子４の左右の縦框との間に取り付けられた左右のステー５，５を介して窓枠３によりにより支持され、横すべり出し窓である開閉窓１は、窓開閉装置２により、窓枠３内に組み込まれた障子４を室外側へ開くことができる（図２及び図３参照。）。
【００１９】
図１〜図５に示すように、窓開閉装置２は、窓枠３の室内側に位置し、図５及び図７に示すように、窓枠３に取り付けられた受部材７により回動中心軸である垂直軸Ａまわりに回動可能に支持された基体８に対してスライド可能に支持され、第１操作杆１１に対して第２操作杆１２を相対的にスライド可能として伸縮する、その長手方向基端部に操作つまみ１０Ａが設けられた操作部材１０、操作部材１０の長手方向先端部の枢軸１５に取り付けられ、障子４に取り付けられた障子側金具６に連結される連結部材１４、図５（ａ）に示す操作部材１０を室外方向に押し出して障子４を開いた状態及び図５（ｂ）に示す操作部材１０を室内方向に引き戻して障子４を閉じた状態で、操作部材１０と基体８とを係合させ、基体８に対する操作部材１０のスライド動作を規制するスライド規制手段２１並びにその規制を解除するスライド規制解除手段２２、図６〜図８に示すように、操作部材１０を伸ばした状態及び縮めた状態でその状態を保持し、操作部材１０の伸縮動作を規制する伸縮規制手段２３並びにその規制を解除する伸縮規制解除手段２４を備えている。
【００２０】
図１〜図３に示すように、障子４の下框に取り付けられた障子側金具６に連結部材１４の先端部に立設された操作ピン１６が係合するため、操作部材１０の長手方向が前後方向（室内外方向）である状態で、操作つまみ１０Ａを操作して操作部材１０を前後方向に移動させることにより、障子４を開閉することができる。
また、図６に示すように、伸縮する操作部材１０は、第２操作杆１２を第１操作杆１１に外嵌したものであり、このような構成により操作部材１０の強度及び剛性を大きくすることが容易であるため、より大型の窓に適用することができるとともに、簡素な構成であるためコストを削減することができる。
【００２１】
図５及び図７に示すように、取付ねじ２７，２７により下枠３Ｌに固定された受部材７にはピン１７が立設され、ピン１７と基体８の通孔８Ｂとが嵌合するため、基体８は垂直軸Ａまわりに回動可能に支持される。
また、図５に示すように、操作部材１０は基体８のガイド孔８Ａに挿通され、操作部材１０の長手方向が前後方向である状態では、基体８に対してスライド可能に支持された操作部材１０を、下枠３Ｌの開口３Ａを通して前後方向にスライドさせることができ、操作部材１０の第２操作杆１２の先端部には支持板１３が取り付けられ、支持板１３には枢軸１５を介して連結部材１４が取り付けられるため、操作部材１０と連結部材１４とは回動中心軸である垂直軸Ｂまわりに相対的に回動可能である。
【００２２】
図４の実線及び図５（ｂ）に示す操作部材１０を室内側に引き戻して障子４を閉じた状態では、前記垂直軸Ａ及びＢが上下方向の一直線上に重なるように同心となっているため、基体８及び操作部材１０を同心の垂直軸Ａ及びＢまわりに回動させることができる。
したがって、図４に示すように、障子４を閉じた状態では、基体８及び操作部材１０を回動させて窓枠３（下枠３Ｌ）に添わせることができ、緩衝材２９が設けられた操作部材保持ガイド２８により操作部材１０を保持することができる。
このように障子４を閉じた状態では、基体８及び操作部材１０が窓枠３に添っているとともに、受部材７及び基体８の上側及び左側はカバー９で覆われるため、看者にすっきりとした印象を与えることができるとともに、操作部材１０が邪魔にならない。
【００２３】
また、逆に、図４の矢印Ｃのように基体８及び操作部材１０を回動させて操作部材１０を前後方向とすることができ、この状態では図７に示すように受部材７に設けられた回り止め７Ａに基体８の左側面が当接するため、操作部材１０を前後方向とした状態で、基体８を位置決めすることができる。
【００２４】
次に、スライド規制手段２１及びスライド規制解除手段２２について説明する。
図５に示すように、スライド規制手段２１は、操作部材１０の第１操作杆１１の下面に形成した係合凹部１１Ａ及び操作部材１０の支持板１３に形成した係合孔１３Ａに対向するように、基体８により圧縮コイルばね１９を介して弾性支持されて上方へ突出する係合凸部１８を、係合凹部１１Ａ又は係合孔１３Ａに係合させるものであり、係合凸部１８と係合凹部１１Ａ又は係合孔１３Ａとが係合した状態では、基体８に対する操作部材１０のスライド動作が規制される。
また、スライド規制解除手段２２は、基体８から上方へ突出する押動片２０であり、押動片２０を押し下げると、係合凸部１８が圧縮コイルばね１９の弾性付勢力に抗して下降し、係合凸部１８と係合凹部１１Ａ又は係合孔１３Ａとの係合が解除される。
【００２５】
このような簡素な構成であるスライド規制手段２１により、操作部材１０と基体８とを係合させ、基体８に対する操作部材１０のスライド動作を安定かつ確実に規制することができるため、風圧により障子が不意に閉じたり、ばたつくことがない。
また、押動片２０からなる簡素な構成のスライド規制解除手段２２により、基体８に対する操作部材１０のスライド動作の規制の解除を容易に行うことができる。
【００２６】
次に、伸縮規制手段２３及び伸縮規制解除手段２４について説明する。
図７及び図８に示す操作部材１０の長手方向が前後方向である状態で、図６に示すように、伸縮規制手段２３は、第２操作杆１２の左右側面に、長手方向の後部及び前部に形成した開口１２Ａ，１２Ｂに対向するように、第１操作杆１１により圧縮コイルばね２６を介して弾性支持されて左右外方へ突出する係合片２５を、開口１２Ａ，１２Ｂに係合させるものである。
このような伸縮規制手段２３により、左右の係合片２５，２５と左右の開口１２Ａ，１２Ａ又は１２Ｂ，１２Ｂとが係合した状態では、第１操作杆１１と第２操作杆１２とが相対的にスライドして操作部材１０が伸縮する動作が規制される。
【００２７】
また、伸縮規制解除手段２４は、左右の係合片２５，２５であり、係合片２５の前後には傾斜面２５Ａ，２５Ａが形成されているため、例えば図７（ａ）のように操作部材１０を縮めた状態（第２操作部材１２の前側の開口１２Ｂ，１２Ｂに左右の係合片２５，２５が係合している状態）で、矢印Ｆのように左右の係合片２５，２５を押しながら操作つまみ１０Ａを後側へ引くと、操作部材１０を伸ばすことができ、図７（ｂ）のように操作部材１０を伸ばした状態（第２操作部材１２の後側の開口１２Ａ，１２Ａに左右の係合片２５，２５が係合している状態）では、前記伸縮規制手段２３により操作部材１０が伸縮する動作が規制される。
同様にして、図７（ｂ）のように操作部材１０を伸ばした状態で、左右の係合片２５，２５を押しながら操作つまみ１０Ａを前側へ押すと、操作部材１０を縮めることができ、図７（ａ）のように操作部材１０を縮めた状態では、前記伸縮規制手段２３により操作部材１０が伸縮する動作が規制される。
【００２８】
このような簡素な構成である伸縮規制手段２３により、第１操作杆１１に弾性支持されて左右外方へ突出する係合片２５，２５を第２操作杆１２の左右の開口１２Ａ，１２Ａ又は１２Ｂ，１２Ｂに係合させることにより、操作部材１０を伸ばした状態及び縮めた状態の保持を容易かつ確実に行うことができる。
また、係合片２５，２５からなる簡素な構成の伸縮規制解除手段２４により、係合片２５，２５を押しながら第２操作杆１２に対して第１操作杆１１を相対的にスライドさせることにより、操作部材１０の伸縮動作の規制を解除して、操作部材１０の伸縮操作を容易に行うことができる。
【００２９】
以上のような窓開閉装置２の構成によれば、図４に示すように基体８及び操作部材１０を窓枠３（下枠３Ｌ）に添わせた状態から、図４の矢印Ｃのように基体８及び操作部材１０を垂直軸Ａ及びＢまわりに回動させ、操作部材１０のスライド方向を室内外方向とし、スライド規制解除手段２２により操作部材１０のスライド動作の規制を解除して、図４の矢印Ｄのように操作部材１０を室外方向に押し出して障子４を開き、スライド規制手段２１により基体８に対する操作部材１０のスライド動作を規制した状態とした半開状態（図２参照。）に容易にすることができる。
【００３０】
また、基体８及び操作部材１０を窓枠３（下枠３Ｌ）に添わせた状態から、図４の矢印Ｃのように基体８及び操作部材１０を垂直軸Ａ及びＢまわりに回動させ、操作部材１０のスライド方向を室内外方向とし、図７（ａ）の状態から図７（ｂ）の状態とするように、伸縮規制解除手段２４により操作部材１０の伸縮動作の規制を解除して操作部材１０を伸ばし、伸縮規制手段２３により操作部材１０を伸ばした状態を保持し、スライド規制解除手段２２により操作部材１０のスライド動作の規制を解除して、図４の矢印Ｅのように操作部材１０を室外方向に押し出して障子４を開き、スライド規制手段２１により基体８に対する操作部材１０のスライド動作を規制した状態とした全開状態（図３参照。）に容易にすることができる。
【００３１】
さらに、上記と逆の操作により操作部材１０を室内側へ引き戻し、スライド規制手段２１により基体８に対する操作部材１０のスライド動作を規制して、障子４を閉じた状態を保持した閉状態とすることができ、この閉状態では、基体８及び操作部材１０を同心の垂直軸Ａ及びＢまわりに回動させて窓枠３（下枠３Ｌ）に添わせることができる。
【００３２】
したがって、一方の操作杆に対して他方の操作杆を相対的にスライド可能として伸縮する操作部材１０の室内外方向への直動により障子４の開閉を行うため、必要な開閉ストローク並びに強度及び剛性を確保して大型の窓にも適用することができ、障子４の開閉操作を円滑に行うことができる。
その上、障子４の前記半開状態及び閉状態においても操作部材１０が室内方向に突き出すことがなく、操作部材１０が邪魔にならず美観が損なわれることがない。
【００３３】
また、図６（ｂ）に示すように、第１操作杆１１に外嵌する第２操作杆１２の下面には開口部が設けられ、この開口部内に第１操作杆１１の下部が突出しており、第２操作杆１２の下面１２Ｃと第１操作杆１１の下面１１Ｂとは面一となっているため、操作部材１０を伸ばした状態と縮めた状態とで操作部材１０の下面の高さが変動しないため、操作部材１０を伸ばした状態又は縮めた状態として基体８に対して摺動させて室内外方向へ移動させる動作を円滑に行うことができる。
【００３４】
以上の説明においては、窓枠３に取り付けられた障子４を室外側へ開くことができる開閉窓１が横すべり出し窓である場合について説明したが、開閉窓１は、縦すべり出し窓、突出し窓又は片開き窓等であってもよい。また、窓開閉装置２の基体８が下枠３Ｌに取り付けられた受部材７により垂直軸Ａまわりに回動可能に支持される場合について説明したが、開閉窓１の構成によっては、基体８を上枠３Ｕ又は縦枠３Ｓに取り付けられた受部材７により回動可能に支持される構成としてもよく、受部材７を縦枠３Ｓに取り付ける構成では該受部材７により基体８を水平軸まわりに回動可能に支持すればよい。
【図面の簡単な説明】
【００３５】
【図１】本発明の実施の形態に係る開閉窓の縦断側面図であり、障子を閉じた状態を示している。
【図２】同じく縦断側面図であり、窓開閉装置により障子を半開にした状態を示している。
【図３】同じく縦断側面図であり、窓開閉装置により障子を全開にした状態を示している。
【図４】同じく横断面図である。
【図５】本発明の実施の形態に係る窓開閉装置の構成を示す縦断側面図であり、（ａ）は半開状態を、（ｂ）は半開状態から操作部材を引いて障子を閉じた状態を示している。
【図６】（ａ）は操作部材の斜視図、（ｂ）は（ａ）の矢視Ｘ−Ｘ断面図である。
【図７】（ａ）は操作部材を縮めた状態を示す平面図、（ｂ）は操作部材を伸ばした状態を示す平面図である。
【図８】操作部材を伸ばした状態を示す側面図である。
【符号の説明】
【００３６】
１  開閉窓
２  窓開閉装置
３  窓枠
３Ａ  開口
３Ｕ  上枠
３Ｌ  下枠
３Ｓ  縦枠
４  障子
５  ステー
６  障子側金具
７  受部材
７Ａ  回り止め
８  基体（ガイド部材）
８Ａ  ガイド孔
８Ｂ  通孔
９  ケース
１０  操作部材
１０Ａ  操作つまみ
１１  第１操作杆
１１Ａ  係合凹部
１１Ｂ  下面
１２  第２操作杆
１２Ａ，１２Ｂ  開口
１２Ｃ  下面
１３  支持板
１３Ａ  係合孔
１４  連結部材
１５  枢軸
１６  操作ピン
１７  ピン（回動支軸）
１８  係合凸部
１９  圧縮コイルばね
２０  押動片
２１  スライド規制手段
２２  スライド規制解除手段
２３  伸縮規制手段
２４  伸縮規制解除手段
２５  係合片
２５Ａ  傾斜面
２６  圧縮コイルばね
２７  取付ねじ
２８  操作部材保持ガイド
２９  緩衝材
Ａ，Ｂ  垂直軸（回動中心軸）
【図１】
0004930342.tif 000002
【図２】
0004930342.tif 000003
【図３】
0004930342.tif 000004
【図４】
0004930342.tif 000005
【図５】
0004930342.tif 000006
【図６】
0004930342.tif 000007
【図７】
0004930342.tif 000008
【図８】
0004930342.tif 000009